(57)【要約】【課題】照明の設置作業が容易であり、メンテナンスも容易に行うことのできる屋外用照明装置を提案する。【解決手段】屋外用照明装置は、照明装置本体８と、照明装置本体８に連結される少なくとも一つの光ファイバ９とを具備する。照明装置本体８は、光源部１と、光源部１の発光を制御する制御部２２と、照明装置本体８の外郭をなすケーシング部３と、ケーシング部３を屋外の構造体Ｂ１に固定する取付構造３４とを備える。光ファイバ９は入射端部９１を有し、光源部１の光が入射端部９１に入射するように照明装置本体８に連結される。【選択図】図４
2017059406.tif 000002
【特許請求の範囲】
【請求項１】
照明装置本体と、
前記照明装置本体に連結される少なくとも一つの光ファイバと、を具備し、
前記照明装置本体は、
光源部と、
前記光源部の発光を制御する制御部と、
前記照明装置本体の外郭をなすケーシング部と、
前記ケーシング部を屋外の構造体の表面に固定するために、前記ケーシング部に設けられた取付構造と、を備え、
前記光ファイバは、入射端部と出射端部を有し、前記光源部の光が前記入射端部に入射するように前記照明装置本体に連結される
ことを特徴とする屋外用照明装置。
【請求項２】
前記光源部は、光源を複数備え、
前記光ファイバは、前記光源に対して前記入射端部が対向するように、前記照明装置本体に複数連結される
ことを特徴とする請求項１に記載の屋外用照明装置。
【請求項３】
前記光源部の熱を伝導するように構成されたヒートシンクを、さらに備え、
前記ヒートシンクは、互いに熱伝導可能な第一部分と第二部分を含み、前記第一部分が前記ケーシング部に収容され、前記第二部分が前記ケーシング部の外側に位置する
ことを特徴とする請求項１または２に記載の屋外用照明装置。
【請求項４】
前記照明装置本体は、前記光ファイバの前記入射端部を着脱自在に連結させる連結部を、さらに備える
ことを特徴とする請求項１〜３のいずれか一項に記載の屋外用照明装置。
【請求項５】
前記光ファイバの前記入射端部が前記連結部に連結されているか否かを検知する連結検知部を、さらに備え、
前記制御部は、前記連結検知部の検知結果に応じて、前記光源部の発光を制御する
ことを特徴とする請求項４に記載の屋外用照明装置。
【請求項６】
前記制御部は、現在時刻に応じて前記光源部の発光を制御する
ことを特徴とする請求項１〜５のいずれか一項に記載の屋外用照明装置。
【発明の詳細な説明】
【技術分野】
【０００１】
本発明は、屋外用照明装置に関し、詳しくは、光ファイバを用いて光を照射するように構成された屋外用照明装置に関する。
【背景技術】
【０００２】
屋外を照らすことのできる照明灯が、特許文献１等に提案されている。
【０００３】
これら従来の照明灯は、それぞれが専用の光源や回路を備える。
【先行技術文献】
【特許文献】
【０００４】
【特許文献１】特開平６−１１１６０５号公報
【発明の概要】
【発明が解決しようとする課題】
【０００５】
従来の照明灯は、それぞれが光源や回路を備える構造であるから、屋外の所望の箇所に照明灯を設置するためには、専用の工事が必要である。
【０００６】
そのため、屋外に照明を設置する工事が大掛かりになるという問題や、照明の設置個所を変更する際にも大掛かりな工事が必要になるという問題がある。さらに、これらの照明灯を複数個所に設置したときには、照明灯ごとにメンテナンスを行う必要があり、メンテナンスに手間がかかるという問題がある。
【０００７】
本発明は、照明を設置する作業や、照明の設置個所を変更する作業が容易であり、複数個所に照明を設置した場合であっても、メンテナンスを容易に行うことのできる屋外用照明装置を提案することを、目的とする。
【課題を解決するための手段】
【０００８】
本発明に係る形態の屋外用照明装置は、照明装置本体と、前記照明装置本体に連結される少なくとも一つの光ファイバと、を具備する。
【０００９】
前記照明装置本体は、光源部と、前記光源部の発光を制御する制御部と、前記照明装置本体の外郭をなすケーシング部と、前記ケーシング部を屋外の構造体の表面に固定するために前記ケーシング部に設けられた取付構造と、を備える。
【００１０】
前記光ファイバは、入射端部と出射端部を有し、前記光源部の光が前記入射端部に入射するように前記照明装置本体に連結される。
【発明の効果】
【００１１】
本発明の屋外用照明装置は、屋外に照明を設置する作業や、照明の設置個所を変更する作業が容易であり、複数個所に照明を設置した場合であっても、メンテナンスを容易に行うことができるという効果を奏する。
【図面の簡単な説明】
【００１２】
【図１】第１実施形態の屋外用照明装置の設置例を示す斜視図である。
【図２】図１のＰ部拡大図である。
【図３】第１実施形態の屋外用照明装置の要部正面図である。
【図４】図３のＡ−Ａ線断面図である。
【図５】第１実施形態の屋外用照明装置が備える照明装置本体の主要構成を示すブロック図である。
【図６】第２実施形態の屋外用照明装置が備える照明装置本体の主要構成を示すブロック図である。
【図７】第２実施形態の屋外用照明装置が備える照明装置本体の要部断面図である。
【発明を実施するための形態】
【００１３】
（第１実施形態）
第１実施形態の屋外用照明装置について、図１〜図５に基づいて説明する。
【００１４】
図１には、第１実施形態の屋外用照明装置の設置例を示している。第１実施形態の屋外用照明装置は、屋外の構造体Ｂ１の表面に設置される照明装置本体８と、照明装置本体８に連結される複数の光ファイバ９とを備える。
【００１５】
各光ファイバ９は屈曲自在であり、軸方向の一端部に入射端部９１を有し、軸方向の他端部に出射端部９２を有する（図１、図２等参照）。各光ファイバ９の入射端部９１が、照明装置本体８に対して着脱自在に連結される。第１実施形態では、照明装置本体８に三つの光ファイバ９が連結されるが、照明装置本体８には、少なくとも一つの光ファイバ９が連結されればよい。
【００１６】
各光ファイバ９として、最小曲げ半径が比較的小さな軟質のものを用いることも可能であるし、最小曲げ半径が比較的大きな（たとえば１００ｍｍ程度）硬質のものを用いることも可能である。
【００１７】
図２〜図５に示すように、照明装置本体８は、複数の光源１１を含む光源部１と、光源部１の発光を制御する制御ブロック２と、光源部１と制御ブロック２を収納するケーシング部３とを備える。
【００１８】
各光源１１は、通電により発光する一つまたは複数のＬＥＤ（発光ダイオード）で構成される。光源部１が備える光源１１の数は、照明装置本体８に連結可能な光ファイバ９の数と同一である。第１実施形態では、光源部１は三つの光源１１を備える。
【００１９】
制御ブロック２は、各光源１１に電気接続される点灯回路２１と、点灯回路２１を介して各光源１１の点灯を制御する制御部２２と、制御部２２に電気接続される電源回路２３を含む（図５参照）。
【００２０】
電源回路２３には、電線６（図４参照）を介して交流電源が電気接続される。電源回路２３は、交流電源から供給される交流電圧を基に直流電圧を生成する。
【００２１】
ケーシング部３は、照明装置本体８の外郭をなす部分であり、光源部１と制御ブロック２を収納する箱体３１と、箱体３１の周囲を覆うように箱体３１に装着されるカバー３２とを含む。
【００２２】
箱体３１は、電線６を背方に引き出すことのできる開口３１１と、取付ネジ３３を正面側から挿通することのできる貫通孔３１２とを備える（図４参照）。第１実施形態の箱体３１は、貫通孔３１２を複数個所に備える。
【００２３】
各貫通孔３１２を通じて、取付ネジ３３を構造体Ｂ１に固着させることで、箱体３１は構造体Ｂ１の表面に取り付けられる。第１実施形態では、建物の外壁が、屋外の構造体Ｂ１である。箱体３１に設けた各貫通孔３１２が、ケーシング部３を構造体Ｂ１に取り付けるための取付構造３４を構成する。取付構造３４として、ネジ以外の手段でケーシング部３を構造体Ｂ１に取り付ける構造も、採用可能である。
【００２４】
カバー３２は、箱体３１の正面側を覆う前壁３２１と、箱体３１の両側方を覆う一対の側壁３２２とを、一体に備える。前壁３２１は、側面視において前方に膨らんだ放物線状の形状を有する。前壁３２１は、雨雪等が円滑に流れ落ちるように、全域に亘って前斜め下方に傾斜している。
【００２５】
ケーシング部３には、光ファイバ９の入射端部９１を連結するための連結部５が、三箇所に設けられている。三箇所の連結部５はそれぞれ、ケーシング部３の下面（箱体３１の下面）に貫通する円筒状の構造を有する。三箇所の連結部５は、三つの光源１１に対して、一対一で対向する位置にある。
【００２６】
各連結部５の内周面には、雌ネジ５１が形成されている。各光ファイバ９の入射端部９１には、連結部５に一対一で連結される連結部９５を、設けている。光ファイバ９の連結部９５の外周面に形成された雄ネジ９５１が、連結部５の雌ネジ５１に着脱自在に螺合される。
【００２７】
各連結部５に光ファイバ９の連結部９５が連結した状態において、各光源１１に対して、光ファイバ９の入射端部９１の端面が僅かな距離を介して一対一で対向する。各光源１１が発する光は、対向する入射端部９１の端面に入射される。
【００２８】
さらに、第１実施形態の照明装置本体８は、光源部１の熱を伝導するためのヒートシンク４を備える。ヒートシンク４は、複数の光源１１が実装された基板１２に対して、熱伝導可能に接続される。
【００２９】
ヒートシンク４は、互いに熱伝導可能な第一部分４１と第二部分４２を含む。水密に封止された箱体３１の内部において、第一部分４１には、複数の光源１１のそれぞれから熱が伝導される。
【００３０】
第二部分４２は、ヒートシンク４のうち、箱体３１の下面に形成された貫通孔３５を通じて、箱体３１の外部に引き出された部分である（図４参照）。貫通孔３５には、防水用のパッキン３６が配される。
【００３１】
ヒートシンク４の第一部分４１に伝導された光源部１の熱は、外部に露出する第二部分４２の表面を通じて、外部空間に効率的に放熱される。
【００３２】
第１実施形態の屋外用照明装置によれば、これを屋外に設置する作業が容易である。
【００３３】
つまり、屋外の構造体Ｂ１である建物の外壁に、照明装置本体８を取り付け固定し、この照明装置本体８に光ファイバ９の入射端部９１を連結させれば、あとは、屋外の庭等で光ファイバ９を自在に引き回して、所望の場所に出射端部９２を配置すればよい。光ファイバ９は、現場でカットすることも容易である。光ファイバ９の出射端部９２には、シェード等の適宜の装飾具を備えることも可能である。
【００３４】
第１実施形態の屋外用照明装置によれば、複数の箇所を照らす場合でも、照明装置本体８に複数の光ファイバ９を連結させ、各光ファイバ９を引き回して出射端部９２を所望の場所に配置すればよく、設置作業が容易である。
【００３５】
また、第１実施形態の屋外用照明装置によれば、照明の設置個所を変更する作業（換言すると、屋外照明のレイアウトを変更する作業）が容易である。
【００３６】
つまり、屋外照明のレイアウトを変更する場合には、各光ファイバ９の配線形態を変更して、出射端部９２の配置や向きを変更すればよく、作業が容易である。また、照明装置本体８に連結される光ファイバ９の数や種類も変更可能であるから、多様なレイアウト変更を、容易に行うことができる。
【００３７】
また、第１実施形態の屋外用照明装置によれば、メンテナンスを行う作業が容易である。
【００３８】
つまり、機器のメンテナンスを行う際には、照明装置本体８に備えた光源部１や制御ブロック２を対象として、主要なメンテナンスを行えばよく、作業が容易である。
【００３９】
さらに、第１実施形態の屋外用照明装置によれば、意匠性の高い屋外照明が得られる。
【００４０】
つまり、照明装置本体８に連結される各光ファイバ９は屈曲自在であるから、たとえば草木等に隠れて視認不能または困難となるように、各光ファイバ９を適宜に曲げて配設することが可能である。また、各光ファイバ９の一部を地中に埋めて視認不能にすることも可能である。
【００４１】
なお、第１実施形態の屋外用照明装置において、照明装置本体８を固定する構造体Ｂ１は、建物の外壁であるが、これに限定されない。つまり、照明装置本体８を固定する箇所は、屋外に位置する適宜の構造体Ｂ１（建物の外壁、支柱、フェンス等）の表面であればよい。
【００４２】
第１実施形態の屋外用照明装置においては、照明装置本体８が光源１１と連結部５を共に複数備えるが、照明装置本体８が光源１１と連結部５を共に一つ備えることも可能である。この場合、照明装置本体８には一つの光ファイバ９が連結される。
【００４３】
（第２実施形態）
第２実施形態の屋外用照明装置について、図６、図７に基づいて説明する。
【００４４】
第２実施形態の屋外用照明装置の構成のうち、第１実施形態の屋外用照明装置と同様の構成については、同一符号を付して詳しい説明を省略する。以下においては、第２実施形態の屋外用照明装置のうち、第１実施形態とは相違する構成について説明する。
【００４５】
第２実施形態の屋外用照明装置は、第１実施形態の屋外用照明装置において、さらに電力消費の抑制を図ったものである。
【００４６】
第２実施形態の照明装置本体８は、制御部２２に電気接続される複数の連結検知部７と、制御部２２に電気接続されるタイマ２４とを、さらに備える（図６参照）。
【００４７】
連結検知部７は、複数の光ファイバ９の入射端部９１がそれぞれ照明装置本体８に連結されているか否かを検知するものであり、照明装置本体８の複数個所に設置される。連結検知部７は、照明装置本体８が備える三箇所の連結部５に、それぞれに設置される。三箇所の連結検知部７は、三箇所の連結部５に一対一で対応する。つまり、三箇所の連結検知部７は、三箇所の光源１１に一対一で対応する。
【００４８】
連結検知部７は、たとえば図７に示すようなリミットスイッチ７０で構成される。リミットスイッチ７０は、光ファイバ９と照明装置本体８が適正位置で連結されたとき（つまり、連結部９５，５同士が適正に連結されたとき）に、これを検知して、制御部２２に信号を出力する。連結検知部７は、光ファイバ９の適正な連結を検知できるものであればよく、他の構成も採用可能である。
【００４９】
制御部２２は、光ファイバ９の入射端部９１が照明装置本体８に連結されていることを、連結検知部７が検知したときに、その入射端部９１と対向する光源１１を発光させる。連結検知部７が光ファイバ９の連結を検知しないときには、制御部２２は、その連結検知部７に対応する光源１１を発光させない。
【００５０】
タイマ２４は、現在の時刻を計時して制御部２２に出力する。
【００５１】
制御部２２は、タイマ２４から入力される現在時刻に応じて、光源部１の発光を制御する。現在時刻に応じた発光の制御は、適宜に設定可能である。
【００５２】
一例として、制御部２２は、日中の所定の時間帯には各光源１１を発光させないように、光源部１の発光を制御する。
【００５３】
別の例として、制御部２２は、日中には各光源１１を発光させないことに加えて、夜間においても時刻に応じて各光源１１の発光を制御する。より具体的に例示すると、制御部２２は、夜間においても現在時刻に応じて、複数の光源１１のうちどの光源１１を発光させるかを、変更する。また、制御部２２は、夜間においても現在時刻に応じて、各光源１１の発光の強度を変更する。
【００５４】
第２実施形態の屋外用照明装置によれば、使用者の手間を要することなく、電力消費が抑制される。
【００５５】
つまり、第２実施形態の屋外用照明装置では、光ファイバ９が連結されているときにだけ、その光ファイバ９に対応する光源１１が発光するので、使用者の手間を要することなく、電力消費が抑制される。
【００５６】
また、第２実施形態の屋外用照明装置では、各光源１１が、設定された時間帯にだけ発光するので、使用者の手間を要することなく、電力消費が抑制される。
【００５７】
第２実施形態の屋外用照明装置は、連結検知部７とタイマ２４を共に備えるが、一方だけを備えることも可能である。
【００５８】
以上、添付図面に基づいて説明したように、第１及び第２実施形態の屋外用照明装置は、照明装置本体８と、照明装置本体８に連結される少なくとも一つの光ファイバ９とを具備する。
【００５９】
照明装置本体８は、光源部１と、光源部１の発光を制御する制御部２２と、照明装置本体８の外郭をなすケーシング部３と、ケーシング部３を屋外の構造体Ｂ１の表面に固定するために、ケーシング部３に設けられた取付構造３４とを備える。
【００６０】
光ファイバ９は、入射端部９１と出射端部９２を有し、光源部１の光が入射端部９１に入射するように照明装置本体８に連結される。
【００６１】
したがって、第１及び第２実施形態の屋外用照明装置によれば、照明装置本体８に連結された光ファイバ９を屋外にて適宜に配線することで、屋外の所望の箇所に出射端部９２を設置することができ、出射端部９２の設置個所を変更する作業も簡単である。加えて、機器のメンテナンスを行うときには、構造体Ｂ１に固定された照明装置本体８を対象として主要なメンテナンスを行えばよく、作業が容易である。
【００６２】
また、第１及び第２実施形態の屋外用照明装置において、光源部１は、光源１１を複数備える。光ファイバ９は、光源１１に対して入射端部９１が対向するように、照明装置本体８に複数連結される。
【００６３】
したがって、第１及び第２実施形態の屋外用照明装置によれば、屋外の複数個所での照明を、照明装置本体８で一括して制御することができ、多様な照明が提供可能となる。機器のメンテナンスを行うときには、照明装置本体８に対して主にメンテナンスを行えばよく、作業が容易である。
【００６４】
また、第１及び第２実施形態の屋外用照明装置は、光源部１の熱を伝導するように構成されたヒートシンク４を、さらに備える。
【００６５】
ヒートシンク４は、互いに熱伝導可能な第一部分４１と第二部分４２を含む。第一部分４１がケーシング部３に収容され、第二部分４２がケーシング部３の外側に位置する。
【００６６】
したがって、第１及び第２実施形態の屋外用照明装置によれば、光源部１の熱を外部空間に効率的に放熱することができる。特に、第１及び第２実施形態の屋外用照明装置では、光源部１が複数の光源１１を含むが、これら複数の光源１１の熱を外部空間に対して一括的にかつ効率的に放熱することができる。
【００６７】
また、第１及び第２実施形態の屋外用照明装置において、照明装置本体８は、光ファイバ９の入射端部９１を着脱自在に連結させる連結部５を、さらに備える。
【００６８】
したがって、第１及び第２実施形態の屋外用照明装置によれば、必要でないときに光ファイバ９を取り外すことや、光ファイバ９を交換することが可能である。特に、第１及び第２実施形態の屋外用照明装置は、連結部５を複数備えるので、各連結部５に光ファイバ９を連結させるか否かを選択することで、照明する箇所の数を容易に変更することができる。
【００６９】
また、第２実施形態の屋外用照明装置は、光ファイバ９の入射端部９１が連結部５に連結されているか否かを検知する連結検知部７を、さらに備える。制御部２２は、連結検知部７の検知結果に応じて、光源部１の発光を制御する。
【００７０】
したがって、第２実施形態の屋外用照明装置によれば、使用者の手間を要することなく、光ファイバ９の連結の有無に応じて、電力消費の抑制を図ることができる。
【００７１】
また、第２実施形態の屋外用照明装置において、制御部２２は、現在時刻に応じて光源部１の発光を制御する。
【００７２】
したがって、第２実施形態の屋外用照明装置によれば、使用者の手間を要することなく、時間帯に対応して、電力消費の抑制を図ることができる。
【００７３】
以上、実施形態について説明したが、屋外用照明装置は前記した各実施形態に限定されず、実施形態において適宜の設計変更を行うことや、各実施形態の構成を適宜組み合わせて適用することが可能である。
【符号の説明】
【００７４】
１    光源部
１１  光源
２２  制御部
３    ケーシング部
４    ヒートシンク
４１  第一部分
４２  第二部分
５    連結部
７    連結検知部
８    照明装置本体
９    光ファイバ
９１  入射端部
９２  出射端部
Ｂ１  構造体
【図１】
2017059406.tif 000003
【図２】
2017059406.tif 000004
【図３】
2017059406.tif 000005
【図４】
2017059406.tif 000006
【図５】
2017059406.tif 000007
【図６】
2017059406.tif 000008
【図７】
2017059406.tif 000009